(57)【要約】【課題】表示手段を備えた遊技機において、遊技者にとっての疲労感を極力低減できるとともに、興趣の飛躍的な向上を図ることのできる遊技機を提供する。【解決手段】パチンコ機１の遊技盤８には作動口１１及び大入賞口１２が設けられ、遊技盤８の中央部分には表示部２０Ｂを備えた特別図柄表示装置２０が組込まれている。表示装置２０では、遊技中の所定期間において複数の演出表示体系の中から決定された１の演出表示体系に基づく視覚的態様を導出しうる。演出表示体系には、所定演出表示態様及びそれに引き続く特殊演出表示態様の組合せが含まれ、スピーカからは、前記所定演出表示態様に基づく視覚的態様が導出される場合に、複数種類の音声パターンの中から選択された音声パターンに基づく聴覚的態様が導出される。【選択図】          図２
2007289740.tif 000002
【特許請求の範囲】
【請求項１】
視覚的態様により遊技状態を認識させるための表示手段と、
聴覚的態様を導出する音声発生手段と
を備え、前記表示手段では、遊技中の所定期間において複数の演出表示体系の中から決定された１の演出表示体系に基づく視覚的態様を導出可能に構成された遊技機であって、
前記演出表示体系には、所定演出表示態様及びそれに引き続く特殊演出表示態様の組合せが含まれ、前記音声発生手段は、前記所定演出表示態様に基づく視覚的態様が導出される場合に、複数種類の音声パターンの中から選択された音声パターンに基づく聴覚的態様を導出可能となっていることを特徴とする遊技機。
【発明の詳細な説明】
【技術分野】
【０００１】
本発明は、表示手段を備えた遊技機に関するものである。
【背景技術】
【０００２】
従来、遊技機の一種として、複数種類の図柄等を、予め定められた配列で変動表示可能な表示部を有する可変表示装置を備えたパチンコ機が知られている。この種の遊技機では、表示部での変動表示停止時の表示図柄（停止図柄）に応じて各種遊技状態（例えば大当たり状態）が導出される。また、上記の大当たり状態の前段階として、リーチ遊技状態等の演出表示態様が導出される。
【０００３】
近年、演出表示態様として、所定の表示態様からさらに大当たりの期待度の高められた発展型の表示態様へ切り換えられるものが知られている。一般に、発展型の表示態様へ切り換えられるタイミングというのは、各種遊技機毎に設定されている場合が多い。
【発明の開示】
【発明が解決しようとする課題】
【０００４】
従って、上記のタイミングに近づくと、遊技者は発展型の表示態様へと切り換えられることを願うと共に、表示部を注視する。しかしながら、長時間の遊技を行った場合には、上記のような演出表示態様が何度も導出されることとなるため、その度に遊技者は表示部を注視しなければならないこととなる。そのため、遊技者にとっての疲労感が増し、却って興趣の低下を招くおそれすらあった。
【０００５】
本発明は、上述した問題に鑑みてなされたものであって、その目的は、表示手段を備えた遊技機において、遊技者にとっての疲労感を極力低減できるとともに、興趣の飛躍的な向上を図ることのできる遊技機を提供することにある。
【課題を解決するための手段】
【０００６】
上記の目的を達成するために有効な手段を以下に示す。なお、必要に応じてその作用等についても説明する。
【０００７】
手段１．視覚的態様により遊技状態を認識させるための表示手段と、聴覚的態様を導出する音声発生手段とを備え、前記表示手段では、遊技中の所定期間において複数の演出表示体系の中から決定された１の演出表示体系に基づく視覚的態様を導出可能に構成された遊技機であって、
前記演出表示体系には、所定演出表示態様及びそれに引き続く特殊演出表示態様の組合せが含まれ、前記音声発生手段は、前記所定演出表示態様に基づく視覚的態様が導出される場合に、複数種類の音声パターンの中から選択された音声パターンに基づく聴覚的態様を導出可能となっていることを特徴とする遊技機。
【０００８】
手段１によれば、表示手段では、視覚的態様により遊技状態が認識させられる。また、音声発生手段では、聴覚的態様が導出され、これにより遊技に厚みが増す。さらに、表示手段では、遊技中の所定期間において複数の演出表示体系の中から決定された１の演出表示体系に基づく視覚的態様が導出され、該導出により、遊技者は各種演出表示体系毎の演出を堪能しうる。さて、演出表示体系には、所定演出表示態様及びそれに引き続く特殊演出表示態様の組合せが含まれている。そして、前記所定演出表示態様に基づく視覚的態様が導出される場合に、音声発生手段では、複数種類の音声パターンの中から選択された音声パターンに基づく聴覚的態様が導出される。このため、かかる聴覚的態様を耳にした遊技者は、所定演出表示態様に基づく視覚的態様が導出されているときであっても、それに引き続いて特殊演出表示態様に基づく視覚的態様が導出されることを期待しうる。従って、従来にはない興趣の向上を図ることができる。また、表示態様を注視せざるを得ない傾向にあった従来技術とは異なり、聴覚的態様の導出による補助演出効果により、視認による集中の義務感が緩和され、もって遊技者にとっての疲労感を低減させることができる。
【０００９】
手段２．視覚的態様により遊技状態を認識させるための表示手段と、聴覚的態様を導出する音声発生手段とを備え、前記表示手段では、遊技中の所定期間において複数の演出表示体系の中から決定された１の演出表示体系に基づく視覚的態様を導出可能に構成された遊技機であって、
前記演出表示体系には、所定演出表示態様及びそれに引き続く特殊演出表示態様の組合せが含まれ、前記特殊演出表示態様は複数種類用意され、前記音声発生手段は、前記各特殊演出表示態様に対応した特殊音声パターンを導出可能であり、前記所定演出表示態様に基づく視覚的態様が導出される場合に、複数種類の特殊音声パターンに関連する所定音声パターンに基づく聴覚的態様を導出可能となっていることを特徴とする遊技機。
【００１０】
手段２によれば、演出表示体系には、所定演出表示態様及びそれに引き続く特殊演出表示態様の組合せが含まれ、特殊演出表示態様は複数種類用意されているため、各種特殊演出表示態様に応じた視覚的態様を堪能することができる。また、音声発生手段では、各特殊演出表示態様に対応した特殊音声パターンが導出される。さらに、所定演出表示態様に基づく視覚的態様が導出される場合に、音声発生手段では、複数種類の特殊音声パターンに関連する所定音声パターンに基づく聴覚的態様が導出される。このため、かかる聴覚的態様を耳にした遊技者は、所定演出表示態様に基づく視覚的態様が導出されているときであっても、それに引き続いて特殊演出表示態様に基づく視覚的態様が導出されることを期待しうる。しかも、各特殊音声パターンとその前段階の所定音声パターンとは関連しているため、特殊演出表示態様の内容を予測しやすい。従って、従来にはない面白味を味わうことができ、興趣の向上を図ることができる。また、表示態様を注視せざるを得ない傾向にあった従来技術とは異なり、聴覚的態様の導出による補助演出効果により、視認による集中の義務感が緩和され、もって遊技者にとっての疲労感を低減させることができる。
【００１１】
手段３．前記特殊音声パターンは、互いに区別可能なものであることを特徴とする手段２に記載の遊技機。
【００１２】
手段３によれば、特殊音声パターンは、互いに区別可能なものであるため、各特殊演出表示態様を区別しやすい。また、各特殊音声パターンに関連する所定音声パターンも互いに区別しやすいものとなる。
【００１３】
手段４．視覚的態様により遊技状態を認識させるための表示手段と、聴覚的態様を導出する音声発生手段とを備え、前記表示手段では、遊技中の所定期間において複数の演出表示体系の中から決定された１の演出表示体系に基づく視覚的態様を導出可能に構成された遊技機であって、
前記演出表示体系には、所定演出表示態様及びそれに引き続く特殊演出表示態様の組合せが含まれ、かつ、前記特殊演出表示態様は複数種類用意され、前記音声発生手段は、前記特殊演出表示態様に基づく視覚的態様が導出される場合に各特殊演出表示態様に対応する特殊音声パターンに基づく聴覚的態様を導出可能となっており、それに先だって前記所定演出表示態様に基づく視覚的態様が導出される場合には、前記特殊音声パターンへと続く所定音声パターンを導出可能となっていることを特徴とする遊技機。
【００１４】
手段４によれば、特殊演出表示態様に基づく視覚的態様が導出される場合に、音声発生手段では、各特殊演出表示態様に対応する特殊音声パターンに基づく聴覚的態様が導出される。さらに、それに先だって所定演出表示態様に基づく視覚的態様が導出される場合には、前記特殊音声パターンへと続く所定音声パターンが導出される。このため、かかる所定音声パターンに基づく聴覚的態様を耳にした遊技者は、所定演出表示態様に基づく視覚的態様が導出されているときであっても、それに引き続いて特殊演出表示態様に基づく視覚的態様が導出されることを期待しうる。しかも、各所定音声パターンから各特殊音声パターンへと続くため、特殊演出表示態様の内容を予測しやすい。従って、従来にはない面白味を味わうことができ、興趣の向上を図ることができる。また、表示態様を注視せざるを得ない傾向にあった従来技術とは異なり、聴覚的態様の導出による補助演出効果により、視認による集中の義務感が緩和され、もって遊技者にとっての疲労感を低減させることができる。
【００１５】
手段５．前記複数種類の特殊音声パターンは、互いに区別可能なものであることを特徴とする手段４に記載の遊技機。
【００１６】
手段５によれば、複数種類の特殊音声パターンは、互いに区別可能なものであるため、各特殊演出表示態様を区別しやすい。また、各特殊音声パターンに関連する所定音声パターンも互いに区別しやすいものとなる。
【００１７】
手段６．前記複数種類の所定音声パターンは、互いに区別可能なものであることを特徴とする手段４又は５に記載の遊技機。
【００１８】
手段６によれば、複数種類の所定音声パターンは、互いに区別可能なものであるため、特殊演出表示態様をより予測しやすい。
【００１９】
手段７．１の所定音声パターンとそれに引き続く特殊音声パターンとは関連性をもっていることを特徴とする手段４乃至６のいずれかに記載の遊技機。
【００２０】
手段７によれば、１の所定音声パターンとそれに引き続く特殊音声パターンとは関連性をもっているため、遊技者にとっての違和感が払拭される。なお、「関連性をもっている」とあるのは、遊技者にとって、１の所定音声パターンとそれに引き続く特殊音声パターンとが同系列であること、同種のものであること、或いは一貫性をもっていること等のように、何らかのつながりをもっていることを認識できる程度に関連性をもっていればよい。
【００２１】
手段８．視覚的態様により遊技状態を認識させるための表示手段と、聴覚的態様を導出する音声発生手段とを備え、前記表示手段では、遊技中の所定期間において複数の演出表示体系の中から決定された１の演出表示体系に基づく視覚的態様を導出可能に構成された遊技機であって、
前記演出表示体系には、少なくとも所定演出表示態様のみからなる第１演出表示体系と、所定演出表示態様及びそれに引き続く特殊演出表示態様の組合せからなる第２演出表示体系とが含まれ、かつ、前記特殊演出表示態様は複数種類用意され、
前記音声発生手段は、前記第２演出表示体系に基づく視覚的態様が導出される場合であって、前記特殊演出表示態様に基づく視覚的態様が導出されるときには各特殊演出表示態様に対応した特殊音声パターンに基づく聴覚的態様を導出可能であり、それに先だって前記所定演出表示態様に基づく視覚的態様が導出されるときには、各特殊音声パターンに関連する所定音声パターンに基づく聴覚的態様を導出可能となっていることを特徴とする遊技機。
【００２２】
手段８によれば、演出表示体系には、少なくとも所定演出表示態様のみからなる第１演出表示体系と、所定演出表示態様及びそれに引き続く特殊演出表示態様の組合せからなる第２演出表示体系とが含まれ、かつ、特殊演出表示態様は複数種類用意されているため、第２演出表示体系に基づく視覚的態様が導出される際には、各種特殊演出表示態様に応じた視覚的態様を堪能することができる。また、第２演出表示体系に基づく視覚的態様が導出される場合であって、特殊演出表示態様に基づく視覚的態様が導出されるときには、音声発生手段は、各特殊演出表示態様に対応した特殊音声パターンに基づく聴覚的態様が導出される。さらに、それに先だって所定演出表示態様に基づく視覚的態様が導出されるときには、各特殊音声パターンに関連する所定音声パターンに基づく聴覚的態様が導出される。このため、かかる所定音声パターンに基づく聴覚的態様を耳にした遊技者は、所定演出表示態様に基づく視覚的態様が導出されているときであっても、それに引き続いて特殊演出表示態様に基づく視覚的態様が導出されることを期待しうる。しかも、各特殊音声パターンに関連する所定音声パターンに基づく聴覚的態様が導出された場合には、特殊演出表示態様の内容を予測しやすい。従って、従来にはない面白味を味わうことができ、興趣の向上を図ることができる。また、表示態様を注視せざるを得ない傾向にあった従来技術とは異なり、聴覚的態様の導出による補助演出効果により、視認による集中の義務感が緩和され、もって遊技者にとっての疲労感を低減させることができる。
【００２３】
手段９．前記音声発生手段は、前記第１演出表示体系に基づく視覚的態様が導出される場合であっても、前記いずれかの所定音声パターンに基づく聴覚的態様を導出可能となっていることを特徴とする手段８に記載の遊技機。
【００２４】
手段９によれば、第１演出表示体系に基づく視覚的態様が導出される場合であっても、いずれかの所定音声パターンに基づく聴覚的態様を導出可能となっている。このため、所定演出表示態様に基づく視覚的態様が導出される場合には、より多くの場合において特殊演出表示態様に基づく視覚的態様が導出されることを期待しうる。すなわち、所定演出表示態様に基づく視覚的態様が導出されているときであっても、大いなる期待感を持ちつつ遊技を行うことができる。
【００２５】
手段１０．前記特殊音声パターンは、互いに区別可能なものであることを特徴とする手段８又は９に記載の遊技機。
【００２６】
手段１０によれば、複数種類の特殊音声パターンは、互いに区別可能なものであるため、各特殊演出表示態様を区別しやすい。また、各特殊音声パターンに関連する所定音声パターンも互いに区別しやすいものとなる。
【００２７】
手段１１．前記複数種類の所定音声パターンは、互いに区別可能なものであることを特徴とする手段８乃至１０のいずれかに記載の遊技機。
【００２８】
手段１１によれば、複数種類の所定音声パターンは、互いに区別可能なものであるため、特殊演出表示態様をより予測しやすい。
【００２９】
手段１２．前記第２演出表示体系に基づく視覚的態様が導出される場合における１の所定音声パターンとそれに引き続く特殊音声パターンとは関連性をもっていることを特徴とする手段８乃至１１のいずれかに記載の遊技機。
【００３０】
手段１２によれば、第２演出表示体系に基づく視覚的態様が導出される場合における１の所定音声パターンとそれに引き続く特殊音声パターンとは関連性をもっているため、遊技者にとっての違和感が払拭される。なお、「関連性をもっている」とあるのは、遊技者にとって、１の所定音声パターンとそれに引き続く特殊音声パターンとが同系列であること、同種のものであること、或いは一貫性をもっていること等のように、何らかのつながりをもっていることを認識できる程度に関連性をもっていればよい。
【００３１】
手段１３．視覚的態様により遊技状態を認識させるための表示手段と、聴覚的態様を導出する音声発生手段とを備え、前記表示手段では、遊技中の所定期間において複数の演出表示体系の中から決定された１の演出表示体系に基づく視覚的態様を導出可能に構成された遊技機であって、
前記演出表示体系には、少なくとも所定演出表示態様のみからなる所定演出表示体系と、所定演出表示態様及びそれに引き続く第１特殊演出表示態様の組合せからなる第１特殊演出表示体系と、所定演出表示態様及びそれに引き続く第２特殊演出表示態様の組合せからなる第２特殊演出表示体系とが含まれ、
前記音声発生手段は、第１特殊演出表示体系又は第２特殊演出表示体系に基づく視覚的態様が導出される場合には、第１特殊演出表示態様又は第２特殊演出表示態様にそれぞれ対応し互いに区別可能な特殊音声パターンに基づく聴覚的態様を導出可能に構成され、かつ、前記所定演出表示態様に基づく視覚的態様が導出されるときに、前記各特殊音声パターンへと続く所定音声パターンに基づく聴覚的態様を導出可能となっていることを特徴とする遊技機。
【００３２】
手段１３によれば、演出表示体系には、少なくとも所定演出表示態様のみからなる所定演出表示体系と、所定演出表示態様及びそれに引き続く第１特殊演出表示態様の組合せからなる第１特殊演出表示体系と、所定演出表示態様及びそれに引き続く第２特殊演出表示態様の組合せからなる第２特殊演出表示体系とが含まれる。このため、各種バリエーションに富んだ視覚的態様を堪能することができる。また、第１特殊演出表示体系又は第２特殊演出表示体系に基づく視覚的態様が導出される場合には、音声発生手段では、第１特殊演出表示態様又は第２特殊演出表示態様にそれぞれ対応し互いに区別可能な特殊音声パターンに基づく聴覚的態様が導出され、所定演出表示態様に基づく視覚的態様が導出されるときに、前記各特殊音声パターンへと続く所定音声パターンに基づく聴覚的態様が導出される。このため、かかる所定音声パターンに基づく聴覚的態様を耳にした遊技者は、所定演出表示態様に基づく視覚的態様が導出されているときであっても、それに引き続いて第１又は第２特殊演出表示態様に基づく視覚的態様が導出されることを期待しうる。しかも、所定音声パターンに基づく聴覚的態様が導出された場合には、それに引き続く第１又は第２特殊演出表示態様の内容を予測しやすい。従って、従来にはない面白味を味わうことができ、興趣の向上を図ることができる。また、表示態様を注視せざるを得ない傾向にあった従来技術とは異なり、聴覚的態様の導出による補助演出効果により、視認による集中の義務感が緩和され、もって遊技者にとっての疲労感を低減させることができる。
【００３３】
手段１４．前記音声発生手段は、前記所定演出表示体系に基づく視覚的態様が導出される場合であっても、前記いずれかの所定音声パターンに基づく聴覚的態様を導出可能となっていることを特徴とする手段１３に記載の遊技機。
【００３４】
手段１４によれば、音声発生手段では、所定演出表示体系に基づく視覚的態様が導出される場合であっても、前記いずれかの所定音声パターンに基づく聴覚的態様が導出される。このため、所定演出表示態様に基づく視覚的態様が導出される場合には、より多くの場合において第１又は第２の特殊演出表示態様に基づく視覚的態様が導出されることを期待しうる。すなわち、所定演出表示態様に基づく視覚的態様が導出されているときであっても、大いなる期待感を持ちつつ遊技を行うことができる。
【００３５】
手段１５．前記第１特殊演出表示体系又は第２特殊演出表示体系に基づく視覚的態様が導出される場合における１の所定音声パターンとそれに引き続く特殊音声パターンとは関連性をもっていることを特徴とする手段１３又は１４に記載の遊技機。
【００３６】
手段１５によれば、第１特殊演出表示体系又は第２特殊演出表示体系に基づく視覚的態様が導出される場合における１の所定音声パターンとそれに引き続く特殊音声パターンとは関連性をもっているため、遊技者にとっての違和感が払拭される。なお、「関連性をもっている」とあるのは、遊技者にとって、１の所定音声パターンとそれに引き続く特殊音声パターンとが同系列であること、同種のものであること、或いは一貫性をもっていること等のように、何らかのつながりをもっていることを認識できる程度に関連性をもっていればよい。
【００３７】
手段１６．少なくとも前記表示手段において特定の表示態様となった場合に遊技者に有利な特別遊技状態を導出可能に構成されるとともに、前記特定の表示態様となる前段階にあっては、複数種類のリーチパターンの中から選択された１のリーチパターンに基づき前記表示手段においてリーチ遊技状態を導出可能に構成され、前記演出表示態様はリーチパターンを含むことを特徴とする手段１乃至１５のいずれかに記載の遊技機。
【００３８】
手段１６によれば、少なくとも表示手段において特定の表示態様となった場合に遊技者に有利な特別遊技状態が導出され、また、特定の表示態様となる前段階にあっては、複数種類のリーチパターンの中から選択された１のリーチパターンに基づき表示手段においてリーチ遊技状態が導出される。かかる遊技機において、前記演出表示態様はリーチパターンを含んでいるため、遊技者は最もわくわくする演出表示態様による演出を楽しむに際し、上述した各作用効果が奏される。
【００３９】
手段１７．前記特殊演出表示態様は、前記所定演出表示態様よりも発展性を有していることを特徴とする手段１乃至１６のいずれかに記載の遊技機。
【００４０】
手段１７によれば、特殊演出表示態様は、前記所定演出表示態様よりも発展性を有しているため、遊技者は、さらに望ましい状態になることを期待しつつ遊技を堪能することができる。なお、「発展性」とあるのは、遊技者に望ましい状態、あるいは、有利な状態に近づいた状態、前記可能性のより高い状態になる性質を主として指すものである。
【００４１】
手段１８．視覚的態様により遊技状態を認識させるための表示手段と、聴覚的態様を導出可能な音声発生手段とを備え、少なくとも前記表示手段において特定の表示態様となった場合に遊技者に有利な特別遊技状態を導出可能に構成されるとともに、前記特定の表示態様となる前段階にあっては、複数種類のリーチパターンの中から選択された１のリーチパターンに基づき前記表示手段においてリーチ遊技状態を導出可能に構成されてなる遊技機であって、
前記複数種類のリーチパターンには、所定のリーチパターン及びそれに引き続く発展型リーチパターンの組合せからなるものが含まれ、前記発展型リーチパターンは複数種類用意されているとともに、
前記音声発生手段は、前記組合せからなるリーチパターンに基づく視覚的態様が導出される場合であって、前記発展型リーチパターンに基づくリーチ遊技状態が導出されるときには各発展型リーチパターンに対応した発展型音声パターンを導出可能であり、それに先だって前記所定のリーチパターンに基づくリーチ遊技状態が導出されるときに、各発展型音声パターンに関連する所定音声パターンに基づく聴覚的態様を導出可能となっていることを特徴とする遊技機。
【００４２】
手段１８によれば、表示手段では視覚的態様により遊技状態が認識させられ、音声発生手段では聴覚的態様が導出され、これにより遊技に厚みが増す。また、少なくとも前記表示手段において特定の表示態様となった場合に遊技者に有利な特別遊技状態が導出され、特定の表示態様となる前段階にあっては、複数種類のリーチパターンの中から選択された１のリーチパターンに基づき表示手段においてリーチ遊技状態が導出される。ここで、複数種類のリーチパターンには、所定のリーチパターン及びそれに引き続く発展型リーチパターンの組合せからなるものが含まれる。従って、遊技者は、所定のリーチパターンから発展型リーチパターンへと移行させられることを期待するとともに、発展型リーチパターンは複数種類用意されているため、種々の発展型リーチパターンに基づく視覚的態様を堪能することができる。さて、前記組合せからなるリーチパターンに基づく視覚的態様が導出される場合であって、発展型リーチパターンに基づくリーチ遊技状態が導出されるときには、音声発生手段では、各発展型リーチパターンに対応した発展型音声パターンが導出され、それに先だって所定のリーチパターンに基づくリーチ遊技状態が導出されるときに、各発展型音声パターンに関連する所定音声パターンに基づく聴覚的態様が導出される。このため、かかる所定音声パターンに基づく聴覚的態様を耳にした遊技者は、所定のリーチパターンに基づく視覚的態様が導出されているときであっても、それに引き続いて発展型リーチパターンに基づく視覚的態様が導出されることを期待しうる。しかも、所定音声パターンに基づく聴覚的態様が導出された場合には、それに関連する発展型リーチパターンの内容を予測しやすい。従って、従来にはない面白味を味わうことができ、興趣の向上を図ることができる。また、表示態様を注視せざるを得ない傾向にあった従来技術とは異なり、聴覚的態様の導出による補助演出効果により、視認による集中の義務感が緩和され、もって遊技者にとっての疲労感を低減させることができる。
【００４３】
手段１９．前記複数種類のリーチパターンには、所定のリーチパターンのみからなるものが含まれ、前記音声発生手段は、前記所定のリーチパターンに基づくリーチ遊技状態が導出される場合であっても、前記いずれかの所定音声パターンに基づく聴覚的態様を導出可能となっていることを特徴とする手段１８に記載の遊技機。
【００４４】
手段１９によれば、複数種類のリーチパターンには、所定のリーチパターンのみからなるものが含まれ、音声発生手段は、前記所定のリーチパターンに基づくリーチ遊技状態が導出される場合であっても、前記いずれかの所定音声パターンに基づく聴覚的態様が導出される。このため、所定のリーチパターンに基づく視覚的態様が導出される場合には、より多くの場合において発展型リーチパターンに基づく視覚的態様が導出されることを期待しうる。すなわち、所定のリーチパターンに基づく視覚的態様が導出されているときであっても、大いなる期待感を持ちつつ遊技を行うことができる。
【００４５】
手段２０．前記複数種類の発展型音声パターンは、互いに区別可能なものであることを特徴とする手段１８又は１９に記載の遊技機。
【００４６】
手段２０によれば、複数種類の発展型音声パターンは、互いに区別可能なものであるため、各発展型リーチパターンを区別しやすい。また、各発展型音声パターンに関連する所定音声パターンも互いに区別しやすいものとなる。
【００４７】
手段２１．前記複数種類の所定音声パターンは、互いに区別可能なものであることを特徴とする手段１８乃至２０のいずれかに記載の遊技機。
【００４８】
手段２１によれば、複数種類の所定音声パターンは、互いに区別可能なものであるため、発展型リーチパターンをより予測しやすい。
【００４９】
手段２２．前記組合せからなるリーチパターンに基づくリーチ遊技状態が導出される場合における１の所定音声パターンとそれに引き続く発展型音声パターンとは関連性をもっていることを特徴とする手段１８乃至２１のいずれかに記載の遊技機。
【００５０】
手段２２によれば、前記組合せからなるリーチパターンに基づくリーチ遊技状態が導出される場合における１の所定音声パターンとそれに引き続く発展型音声パターンとは関連性をもっているため、遊技者にとっての違和感が払拭される。なお、「関連性をもっている」とあるのは、遊技者にとって、１の所定音声パターンとそれに引き続く発展型音声パターンとが同系列であること、同種のものであること、或いは一貫性をもっていること等のように、何らかのつながりをもっていることを認識できる程度に関連性をもっていればよい。
【００５１】
手段２３．特定条件が成立したときには、前記組合せからなるリーチパターンに基づくリーチ遊技状態が導出される場合における１の所定音声パターンとそれに引き続く発展型音声パターンとが関連性をもたないようにしたことを特徴とする手段２２に記載の遊技機。
【００５２】
手段２３によれば、特定条件が成立したときには、所定音声パターンによって予想される発展型リーチパターンとは別の発展型リーチパターンに基づく視覚的態様が導出される場合があり、遊技者はそのような演出態様に驚きを覚え、面白味が一層増す。
【００５３】
手段２４．前記表示装置は、識別情報を変動表示可能な可変表示装置であることを特徴とする手段１乃至２３のいずれかに記載の遊技機。
【００５４】
手段２５．手段１乃至２４のいずれかにおいて、前記「聴覚的態様」に代えて或いは加えて「触覚的態様」とし、前記「音声発生手段」に代えて或いは加えて「触覚態様導出手段（例えばバイブレータ等）」とし、前記「音声パターン」に代えて或いは加えて「触覚パターン」としたこと。
【００５５】
手段２６．手段１乃至２５のいずれかにおいて、遊技機はパチンコ遊技機であること。中でも、パチンコ遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置の主表示部において変動表示されている識別情報が所定時間後に確定停止表示されることが挙げられる。また、特別遊技状態発生時には遊技領域内の所定の位置に配置された可変入賞装置が所定の態様で開放されて遊技球を入賞可能とし、その入賞個数に応じた有価価値（景品球のみならず、磁気カードへの書き込み等も含む）が付与されることが挙げられる。
【００５６】
手段２７．手段１乃至２５のいずれかにおいて、遊技機は回胴式遊技機であること。ここで、回胴式遊技機の構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。なお、回胴式遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。なお、この場合、可変表示装置は、遊技機本体を画定する本体ボックスに設置される。
【００５７】
手段２８．手段１乃至２５のいずれかにおいて、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。なお、かかる遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。
【発明を実施するための最良の形態】
【００５８】
以下に、遊技機としてパチンコ遊技機（以下、単に「パチンコ機」という）を具体化した一実施の形態を、図面に基づいて詳細に説明する。
【００５９】
図１に示すように、パチンコ機１は、外枠２と、その前部に設けられた前面枠３とを備えている。前面枠３は外枠２の一側部にて開閉可能に装着されている。前面枠３の前面側には、ガラス扉枠４が開閉自在に設けられているとともに、ガラス扉枠４の下側において遊技球Ｂ（図２参照）を貯留するための上皿５が、上皿５の下方位置において同じく遊技球Ｂを貯留するための下皿６がそれぞれ設けられている。
【００６０】
前面枠３の前面側の下皿６側方には操作手段としてのハンドル７が設けられており、ハンドル７は図示しない遊技球発射装置に連結されている。また、前面枠３の後側（ガラス扉枠４の奥、外枠２の内側）には、遊技盤８（図２参照）が着脱可能に装着されており、前記遊技球発射装置はこの遊技盤８の上部に向けて遊技球Ｂを発射する。なお、該遊技球発射装置は、発射制御基板１４０（図３参照）により制御される。
【００６１】
さらに、前面枠３内部（上皿５の側方）には、遊技の進行に伴い種々の効果音を鳴らしたり、遊技者に遊技状態を音声にて報知するための音声発生手段を構成するスピーカ９が埋設されている。なお、スピーカ９は、音声制御基板１３０（図３参照）により制御される。
【００６２】
さて、図２に示すように、遊技盤８には、内レール１０ａ及び外レール１０ｂが設けられており、前記遊技球発射装置によって発射された遊技球Ｂは内レール１０ａ及び外レール１０ｂに沿って遊技盤８の上部に案内される。
【００６３】
遊技盤８の下部には、作動口１１及び大入賞口１２が設けられている。作動口１１は遊技球Ｂ用の通路を備えるとともに、その通路入口には羽根１３が開閉可能に支持されている。大入賞口１２の奥にはシーソー１４が設けられているとともに、その右側にはＶゾーン１５が、左側には入賞通路１６がそれぞれ設けられている（左右逆でもよい）。つまり、大入賞口１２に遊技球Ｂが入賞した場合、この遊技球Ｂはシーソー１４によってＶゾーン１５又は入賞通路１６のどちらかへ転がるように振り分けられ、Ｖゾーン１５又は入賞通路１６のどちらかを通って導出されるような構成となっている。
【００６４】
大入賞口１２の前部には、大入賞口１２を開閉するシャッタ１７が設けられている。シャッタ１７は大入賞口１２の側部に設けられた大入賞口用ソレノイド１８により作動させられる。詳しくは、大入賞口ソレノイド１８が励磁状態となることにより、シャッタ１７が略水平に傾き、大入賞口１２が開かれる。また、大入賞口ソレノイド１８が非励磁状態となることにより、シャッタ１７が略垂直状態となり、大入賞口１２は閉鎖されるようになっている。
【００６５】
さらに、大入賞口１２の一側部には、シーソー用ソレノイド１９が設けられている。通常、シーソー用ソレノイド１９は非励磁状態となっており、この状態におけるシーソー１４はＶゾーン１５の方へ傾いた状態となっている。つまり、遊技球ＢがＶゾーン１５を通過していくような傾きとなっている。また、シーソー用ソレノイド１９が励磁状態となることにより、シーソー１４は遊技球Ｂを入賞通路１６に通過させるような傾きとなる。なお、本実施の形態では、シャッタ１７の開状態において遊技球Ｂが１つでもＶゾーン１５を通過した場合には、シーソー用ソレノイド１９が励磁状態となり、シャッタ１７が閉じられた場合には、シーソー用ソレノイド１９が非励磁状態となるように構成されている。
【００６６】
遊技盤８の中央部分には、表示手段、可変表示装置としての特別図柄表示装置２０が組込まれている。特別図柄表示装置２０は、液晶ディスプレイ（ＬＣＤ）装置によって構成され、画面の対角線の長さが約７インチの略長方形状の表示部２０Ｂ（図６参照）を備えている。また、表示部２０Ｂの周囲には、樹脂製のセンターフレーム２０Ａが配設されている。
【００６７】
表示部２０Ｂは略矩形状の主表示部２０ａを備えており、該主表示部２０ａに複数の図柄列Ｋ１〜Ｋ３を表示することができるようになっている。本実施の形態において、これらの図柄列としては左図柄列Ｋ１、中図柄列Ｋ２及び右図柄列Ｋ３の３つの図柄列（識別情報列）が挙げられる（図５（ａ）参照）。但し、図柄列の数としては３つに限られるものではなく、それ以外の数の図柄列が表示されることとしてもよい。
【００６８】
さらに、特別図柄表示装置２０の表示部２０Ｂ（主表示部２０ａ）では、遊技球Ｂの作動口１１への入賞に基づいて、各図柄列Ｋ１〜Ｋ３の図柄変動表示（本実施の形態においては、スクロール変動表示）が行われるような構成となっている。また、この変動表示中に新たな遊技球Ｂが作動口１１に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施の形態では保留最大回数が４回に設定されている。しかし、保留最大回数は、これに限られるものではない。
【００６９】
表示部２０Ｂの上方には、前述したような図柄の変動表示の保留回数を示す発光ダイオード（ＬＥＤ）からなる保留ランプ２４ａ，２４ｂ，２４ｃ，２４ｄが組み込まれている。保留ランプ２４ａ〜２４ｄの数は、前述した保留最大回数と同じ（この場合４個）となっている。保留ランプ２４ａ〜２４ｄは、変動表示の保留毎に点灯させられ、その保留に対応した変動表示の実行に伴い消灯させられる。
【００７０】
センターフレーム２０Ａの上部には、普通図柄表示装置３１が併設されている。普通図柄表示装置３１は、発光ダイオード（ＬＥＤ）よりなる４つの保留ランプ３２と、普通図柄表示部たるＬＥＤよりなる７セグ表示部３３とを有している。また、特別図柄表示装置２０の左右両側方には、一対の通過ゲート３４が配設されており、同通過ゲート３４を遊技球Ｂが通過すると普通図柄表示装置３１が作動するような構成となっている。本実施の形態における普通図柄表示装置３１は、「０」から「９」までの数字を可変表示して７セグ表示部３３にセグメント表示させる。その数字が所定値（本実施の形態では「７」）で停止した場合に、作動口１１の羽根１３を所定秒数開放させるようになっている。普通図柄表示装置３１は、遊技球Ｂの通過ゲート３４の通過回数を４回まで記憶することができ、保留ランプ３２でその保留数を表示する。従って、４つの保留ランプ３２が点灯している状態で、遊技球Ｂが通過ゲート３４を通過してもカウントされないようになっている。また、保留ランプ３２が点灯している限り、遊技球Ｂが通過ゲート３４を通過しなくとも保留数に応じた回数だけ普通図柄表示装置３１は作動するようになっている。
【００７１】
さらに、パチンコ機１の複数箇所には、遊技効果を高めるための他の図示しない各種演出用ランプや電飾部材が取付けられている。これらの演出用ランプや電飾部材等（以下単に「ランプ」と称する）の点灯状態（消灯、点灯、点滅等）は、遊技の進行に応じて適宜変えられるようになっている。なお、これらランプは、ランプ制御基板１２０（図３参照）により制御される。
【００７２】
また、遊技盤８には、遊技者の操作に応じて変化するパチンコ機１の遊技状態を検出するためのスルースイッチ４０、作動口用スイッチ４１、Ｖゾーン用スイッチ４２及びカウントスイッチ４３等の各種センサがそれぞれ取付けられている。スルースイッチ４０は、遊技球Ｂの通過ゲート３４の通過を検出するものであり、作動口用スイッチ４１は、遊技球Ｂの作動口１１への入賞を検出するものであり、Ｖゾーン用スイッチ４２は、遊技球Ｂの大入賞口１２のうちのＶゾーン１５への入賞を検出するものであり、カウントスイッチ４３は、遊技球Ｂの大入賞口１２への入賞を検出するものである。
【００７３】
さて、本実施の形態では、各スイッチ４０〜４３の検出結果に基づき、各ソレノイド１８，１９、特別図柄表示装置２０、各保留ランプ２４ａ〜２４ｄ、スピーカ９、普通図柄表示装置３１（保留ランプ３２及び７セグ表示部３３）、羽根１３等をそれぞれ駆動制御するため制御装置（主基板）５０が設けられている。
【００７４】
主基板５０は、主たる制御を司るためのものであって、読み出し専用メモリ（ＲＯＭ）、中央処理装置（ＣＰＵ）、ランダムアクセスメモリ（ＲＡＭ）等を備えている。ＲＯＭは所定の制御プログラムや初期データを予め記憶しており、ＣＰＵはＲＯＭの制御プログラム等に従って各種演算処理を実行する。ＲＡＭはＣＰＵによる演算結果を図柄乱数バッファ、図柄乱数エリア、停止図柄エリア等に一時的に記憶する。なお、主基板５０はパチンコ機１の裏側の図示しない基板ボックス内に封印された状態で装着されている。
【００７５】
また、ＲＡＭは、後述する特別遊技状態としての大当たり状態の発生を決定するための乱数カウンタをも備えている。この乱数カウンタは、乱数更新処理により、所定（例えば「０」〜「２９９」）の範囲で、例えば２ｍｓ毎に、１カウントずつ更新される。本実施の形態では、遊技球Ｂが作動口１１に入賞し、それが作動口用スイッチ４１にて検出されたときに（保留最大回数時は除く）、前記乱数カウンタの値が所定値、例えば「７」であった場合に、大当たり状態が発生させられるようになっている。
【００７６】
上記ＣＰＵ、ＲＯＭ及びＲＡＭは、バスラインを介して互いに接続されている。図３のブロック図に示すように、バスラインは、主基板５０のインターフェイス５０ａにも接続されており、インターフェイス５０ａは、コネクタ及びケーブル等を介して表示制御基板１１０のインターフェイス６１や他の装置と接続されている。また、インターフェイス５０ａは、コネクタ及びケーブル等を介して作動口スイッチ４１等の各種センサに接続されている。すなわち、主基板５０は、作動口スイッチ４１等からインターフェイス５０ａを介して入賞信号等を入力するとともに、インターフェイス５０ａを介して表示制御基板１１０や他の入出力装置（他の制御基板を含む）へ制御データ等の各種動作コマンドを出力し、各ソレノイド等の各種アクチュエータ及び各制御基板を制御する。
【００７７】
さて、本実施の形態では、特別図柄表示装置２０の表示部２０Ｂにおける各種表示制御は、主たる制御を行う主基板５０ではなく、主として特別図柄表示装置２０の表示制御基板１１０において行われるように構成されている。なお、表示制御基板１１０は、特別図柄表示装置２０に組み込まれた状態となっている。
【００７８】
さらに、本実施の形態においては、各種（演出用の）ランプの点灯、点滅制御については、主としてランプ制御基板１２０において行われ、スピーカ９から発せられる音声の制御については、主として音声制御基板１３０において行われる。また、前記遊技球発射装置における遊技球Ｂの発射制御についても、主基板５０ではなく、発射制御基板１４０において行われるような構成となっている。
【００７９】
ここで、本実施の形態における表示制御を行う表示制御基板１１０の電気的構成について、図３のブロック図に従って説明する。同図に示すように、表示制御基板１１０は、主基板５０から送られてくるコマンドを順次受信するインターフェイス６１と、プログラムＲＯＭ６２に記憶された制御プログラム及び各種の情報に基づいて、各種遊技状態（通常変動やリーチ演出や大当たり報知等）において表示される表示画像の画面構成情報を生成するＣＰＵ６３と、ＣＰＵ６３での処理結果等を一時的に記憶するワークＲＡＭ６４と、ＣＰＵ６３で生成された画面構成情報を記憶するビデオＲＡＭ６５と、ビデオＲＡＭ６５に記憶された画面構成情報に基づいて画像データＲＯＭ６６から画像データを取り出し、そのデータを画面構成情報に書き込むことにより各種遊技状態における表示画像を生成するＶＤＰ６７とを備えている。そして、生成された表示画像は表示部（液晶ディスプレイ）２０Ｂへ出力される。
【００８０】
インターフェイス６１は、主基板５０から送信されてくるコマンド（指令）を受信する。また、それらのコマンドは、ＣＰＵ６３によってワークＲＡＭ６４に設けられた図示しないコマンドバッファ領域に記憶される。
【００８１】
ＣＰＵ６３は、プログラムＲＯＭ６２に記憶された制御プログラムに従って動作する。具体的には、前記コマンドを監視して、該コマンドに応じたタスクを生成し、ワークＲＡＭ６４に記憶する。そのタスクを実行することで、ワークＲＡＭ６４内に各種遊技状態（通常変動やリーチ演出や大当たり報知等）において表示される表示画像の画面構成情報を生成し、この画面構成情報をビデオＲＡＭ６５に書き込む。なお、画面構成情報は、表示部（液晶ディスプレイ）２０Ｂの垂直操作信号（ＶＳＹＮＣ）ごとに生成される。
【００８２】
ワークＲＡＭ６４には、主基板５０からのコマンドを記憶するための前記コマンドバッファ領域をはじめ、生成されたタスクが記憶されるタスクバッファ領域や、画像構成情報（通常変動時やリーチ状態時の図柄画像の指示や、その配置位置や表示優先順位等）を一括してビデオＲＡＭ６５に書き込むために各種情報が記憶されるスプライトチェーン領域（いずれも図示略）が設定される。
【００８３】
ビデオＲＡＭ６５は、前記画像構成情報を記憶するとともに、ＶＤＰ６７で生成される表示画像のデータを記憶するメモリである。ビデオＲＡＭ６５には、表示部２０Ｂに表示される主として一画面分の表示画像のデータを記憶する記憶領域である第１フレームメモリ６５ａと第２フレームメモリ６５ｂが設けられており、ＣＰＵ６３が生成した画像構成情報並びにＶＤＰ６７で生成される表示画像のデータを交互に記憶することができるような構成となっている。
【００８４】
画像データＲＯＭ６６は、表示部２０Ｂに表示される図柄や背景画像等の各種画像データを記憶するメモリである。前記画像データには、図柄や背景画像等の例えば形状、サイズ、模様、配色、色調等を定めた図柄や背景画像等を生成するために必要な各種情報が含まれている。
【００８５】
ＶＤＰ６７は、表示画像の画像生成処理を行う画像データプロセッサである。つまり、ＶＤＰ６７は、ビデオＲＡＭ６５に記憶された画像構成情報に基づいて、画像データＲＯＭ６６に記憶されている画像データを読み出し、前記画像データに含まれる情報を前記画像構成情報に書き込むことにより、表示部２０Ｂに表示可能な表示画像を生成する。そして、生成した表示画像を表示部２０Ｂに出力する。
【００８６】
さらに詳しくは、図４に示すように、ＶＤＰ６７は、ＣＰＵ６３から送られてくる各種コマンドやデータを受信するインターフェイス６７ａと、インターフェイス６７ａから送られる各種コマンドやデータに基づいてビデオＲＡＭ６５に記憶された画像構成情報を読み出し、該画像構成情報に基づいて表示画像を生成する画像生成部６７ｂと、表示画像のカラー情報を格納するパレットＲＡＭ６７ｃとから構成されている。
【００８７】
インターフェイス６７ａから各種コマンドやデータを受け取った画像生成部６７ｂは、ビデオＲＡＭ６５の第１フレームメモリ６５ａ又は第２フレームメモリ６５ｂに記憶された画像構成情報を読み出す。その画像構成情報に基づいて画像データＲＯＭ６６から画像データを読み出し、前記画像データに含まれる各種情報を該画像構成情報に書き込む。同時に、前記画像データに対応するカラー情報をパレットＲＡＭ６７ｃから取得し、前記画像構成情報に書き込む。これにより、カラー情報に基づく配色を施した表示画像が生成される。
【００８８】
同時に、画像生成部６７ｂは、前記書き込みが行われていない第１フレームメモリ６５ａ又は第２フレームメモリ６５ｂに記憶されている表示画像のデータを読み出し、表示部（液晶ディスプレイ）２０Ｂに出力する。この際、表示画像のデータはＲＧＢ信号で出力され、このＲＧＢ信号に基づいて、色調（色、彩度、輝度、コントラストなど）等が制御されて表示部（液晶ディスプレイ）２０Ｂに表示される。また、表示画像のデータが出力され、何もデータが記憶されていない第１フレームメモリ６５ａ又は第２フレームメモリ６５ｂには、新たな画像構成情報が書き込まれる。なお、画像生成部６７ｂにおいて生成される表示画像は、図柄及び背景画像用等の複数のレイヤによって構成されており、これらを重ね合わせ、主として１画面分の表示画像として生成している。
【００８９】
パレットＲＡＭ６７ｃは、複数種類のカラー情報を設定した複数種類のカラーパレットを保持しており、画像データに含まれるカラー情報に応じたカラーパレットを画像生成部６７ｂに与えるものである。ここで、カラーパレットを与えるとは、例えば、パレットＲＡＭ６７ｃに格納されたカラーパレットの格納アドレスを画像生成部６７ｂに与えることを意味している。なお、カラー情報は、原色例えば赤色（Ｒ）、緑色（Ｇ）、青色（Ｂ）の基本色情報を組み合わせた配合割合等によって、定められているものである。
【００９０】
ここで、特別図柄表示装置２０の表示部２０Ｂにおいて、遊技状態中等に表示される表示画像の構成について具体的に説明するとともに、その表示態様を基に大当たり状態、リーチ状態、外れ状態等についても説明する。
【００９１】
特別図柄表示装置２０の表示部２０Ｂの主表示部２０ａには、図５（ａ）に示すように、森の中の景色を表す背景画像が表示され、その前側に位置するように、各図柄列Ｋ１〜Ｋ３が表示されるようになっている。各図柄列Ｋ１〜Ｋ３は、図５等に示すように、それぞれ複数種類かつ複数個の識別情報としての図柄７０Ａ〜７０Ｉ及び外れ図柄７０Ｊによって構成されている。外れ図柄７０Ｊを除く各図柄７０Ａ〜７０Ｉは、それぞれ各種果実や葉の絵と「１」〜「９」の数字との組合せによって構成されている（勿論、各種絵柄、各種文字のみ、或いは、数字や文字に各種絵柄が組合わさったものを図柄として使用してもよい）。これらの図柄７０Ａ〜７０Ｉは、左図柄列２１については降順に、中、右図柄列２２，２３については基本的には昇順にそれぞれ配列されている。これらの図柄７０Ａ〜７０Ｉは、特別遊技図柄としての大当たり図柄、外れリーチ図柄及び外れ図柄のいずれかになりうる（これらについては後述する）。
【００９２】
また、外れ図柄７０Ｊは「どんぐり」のマークによって構成されており、基本的には前記図柄７０Ａ〜７０Ｉ間に配置される。さらに、当該外れ図柄７０Ｋは、その名のとおり、大当たり図柄になることはなく、外れ図柄にのみなりうる。但し、「１」と「９」の図柄７０Ａ，７０Ｉの間には、外れ図柄７０Ｊの代わりに、「４」の図柄７０Ｄが配置されている。かかる配置構成により、「１」と「９」の所謂ダブルリーチが発生可能となっているとともに、後述する大当たり図柄が偶数と奇数との間で均等に生じうるようになっている。
【００９３】
各々の図柄列Ｋ１〜Ｋ３においては、表示される図柄７０Ａ〜７０Ｊが、上から下方向へと移動するかのごとく表示される。なお、各図柄列Ｋ１〜Ｋ３において、図柄７０Ａ〜７０Ｊの配列順序をランダムに変更し変動表示させたり、図柄７０Ａ〜７０Ｊの数を適宜増減させたり、１つの図柄列に同じ図柄を複数個表示したり、図柄７０Ａ〜７０Ｊの変動表示態様、例えばスクロール変動表示や差換変動表示等を適宜変更したりしてもよい。
【００９４】
さて、上述したように変動表示される各図柄列Ｋ１〜Ｋ３の各図柄７０Ａ〜７０Ｊは、所定時間経過後、主表示部２０ａの大当たりラインＬ１〜Ｌ５上に停止表示される。このとき、大当たり図柄、外れリーチ図柄、外れ図柄の中から１つが選択された上で、前記大当たりラインＬ１〜Ｌ５上に停止表示される。なお、停止図柄とは、各図柄列Ｋ１〜Ｋ３が図柄変動を停止したときに確定表示される図柄である。また、本実施の形態では、図柄変動は、左図柄列Ｋ１、右図柄列Ｋ３、中図柄列Ｋ２の順に停止させられる。
【００９５】
次に、遊技者に有利な特別遊技状態としての大当たり状態について説明する。図５（ｃ）は、主表示部２０ａにおける大当たり状態発生時の画面を示す図である。同図に示すように、大当たり図柄は、通常遊技状態からリーチ遊技状態（リーチ状態）を経た後、遊技者に有利な特別遊技状態としての大当たり状態を発生させるための図柄である。詳しくは、全ての図柄列Ｋ１〜Ｋ３の変動が停止させられたとき、表示されている図柄７０Ａ〜７０Ｉの組合せが、予め定められた大当たりの組合せ、すなわち、同一種類の図柄７０Ａ〜７０Ｉが大当たりラインＬ１〜Ｌ５に沿って並んでいるときの同図柄７０Ａ〜７０Ｉの組合せとなる場合がある。この組合せを構成する図柄が「大当たり図柄」である。
【００９６】
本実施の形態では、上中下の横ラインＬ１，Ｌ２，Ｌ３及び斜めの２本のラインＬ４，Ｌ５によって大当たりラインＬ１〜Ｌ５が構成されている（５ラインと称される）。大当たりの組合せが成立すると、特別電動役物が作動し（大入賞口４が開かれ）、遊技者にとって有利な大当たり状態の到来、すなわち、より多くの景品球を獲得することが可能となる。（例えば図５（ｃ）では下段のラインＬ３において「７」「７」「７」の図柄７０Ｇが揃って停止表示されている）。
【００９７】
本実施の形態では、一旦大当たり状態が発生すると、大入賞口１２の開放後、（１）遊技球Ｂが大入賞口１２への１０個入賞すること、（２）約２９．５秒が経過すること、のいずれか一方の条件が満たされた時点で大入賞口１２が閉鎖される。この大入賞口１２の開閉のサイクルが遊技球ＢのＶゾーン１５への入賞を最大で所定回数（例えば１６回：１６ラウンド）繰り返されることとなる。
【００９８】
また、リーチ状態とは、大当たり直前の状態をいう（もちろん大当たり状態に至らない場合もある）。図５（ｂ）に示すように、リーチ状態には、右図柄列Ｋ３の図柄変動が、前記大当たりラインＬ１〜Ｌ５上において左図柄列Ｋ１の停止図柄と同一種類の図柄で停止する状態が含まれる。
【００９９】
上記のリーチ状態には、中図柄列Ｋ２の図柄変動が、最終的に左・右両図柄列Ｋ１，Ｋ３の停止図柄と同一種類の図柄（大当たり図柄）で停止して大当たり状態になるもの以外にも、異なる種類の図柄（これを「外れリーチ図柄」という）で停止して、大当たり状態とならないもの（以下、「外れリーチ状態」という）が含まれる。さらには、中図柄列Ｋ２の図柄変動が一旦停止した後（停止しかけた後）、全図柄列（或いは一部の図柄列）が変動し、その後全図柄列Ｋ１〜２３の図柄７０Ａ〜７０Ｊが停止するような場合（再変動リーチ、全回転リーチとも称される）も含まれる。
【０１００】
上記リーチ状態において、演出表示体系を構成するリーチパターンとしては、中図柄列Ｋ２の図柄７０Ａ〜７０Ｊが通常変動時と同様に単にスクロールする「ノーマルリーチ」の外に、種々のリーチパターンが設定されている。これらリーチパターンのうち、「ノーマルリーチ」以外のリーチパターンは、いわゆる「スーパーリーチ」、「スペシャルリーチ」、「プレミアムリーチ」と称されるものである。「スーパーリーチ」の演出が行われた場合には、「ノーマルリーチ」の場合に比べて、大当たり状態が発生する期待値（大当たり期待値）が高くなるように設定されている。また、「スペシャルリーチ」の演出が行われた場合には、「スーパーリーチ」の場合に比べて、大当たり期待値が高くなるように設定されている。さらに「プレミアムリーチ」は、滅多に見ることのできないリーチとして位置づけられているものであって、該リーチ演出が行われた場合には、極めて高い確率で大当たり状態が発生しうるよう構成されている。
【０１０１】
これらのリーチパターンは、図１２に示すリーチ種別決定カウンタＣＶに基づいて決定される。より詳しくは、リーチ種別決定カウンタＣＶについても、乱数更新処理により、所定（例えば「０」〜「９９９」）の範囲で、例えば２ｍｓ毎に、１カウントずつ更新され、リーチ遊技状態が導出されるときに、このリーチ種別決定カウンタＣＶの値が読み出され、その値に基づいたリーチ演出が行われるようになっている。同図に示すように、本実施の形態では、「スーパーリーチ」として、図柄がゆっくりと変動する「スローリーチ」、「リス」が表示されることにより演出が行われる「リスリーチ」、「ももんが」が表示されることにより演出が行われる「ももんがリーチ」が設定されている。さらに、「スペシャルリーチ」として、「スローリーチ」よりもさらに図柄がゆっくりと変動する「超ロングスローリーチ」、「リス群」が表示されることにより演出が行われる「リススペシャルリーチ」、「ももんが」が駆け上がるかのように表示されることにより演出が行われる「ももんがスペシャルリーチ」が設定されている。なお、「プレミアムリーチ」としては、「リス」及び「ももんが」が表示されることにより演出が行われる「リスももんがリーチ」が設定されている。
【０１０２】
但し、本実施の形態では、上記のような「スーパーリーチ」「スペシャルリーチ」の演出が行われる場合には、まず、所定のリーチパターン、所定演出表示態様を構成する「ノーマルリーチ」演出が行われた後、所定タイミングで発展型リーチパターン、特殊演出表示態様を構成する「リスリーチ」演出、「ももんがリーチ」演出等が実行されるようになっている。
【０１０３】
また、これらの各リーチは、外れリーチ時と大当たり時とで出現確率（実際に演出の行われる確率）が異なるようになっている。より詳しくは、大当たり時には、「スペシャルリーチ」や「スーパーリーチ」の演出が実行される確率が高く設定されており、「ノーマルリーチ」の演出が実行される確率が非常に低く設定されている。逆に、外れリーチ時には、「ノーマルリーチ」の演出が実行される確率が非常に高く設定されている。
【０１０４】
また、各「スーパーリーチ」や「スペシャルリーチ」の種類によっても、大当たりの期待値が異なるように設定されている。例えば、「スーパーリーチ」でも、「スローリーチ」の演出が実行される場合に比べて、「リスリーチ」の演出が実行される場合の方が大当たりの期待値が高く設定され、さらに「ももんがリーチ」の演出が実行される場合の方が大当たりの期待値が高く設定されている。さらに、「スペシャルリーチ」でも、「超ロングスローリーチ」の演出が実行される場合に比べて、「リススペシャルリーチ」の演出が実行される場合の方が大当たりの期待値が高く設定され、さらに「ももんがスペシャルリーチ」の演出が実行される場合の方が大当たりの期待値が高く設定されている。
【０１０５】
なお、本実施の形態では、図６，７に示すように、表示部２０Ｂは、上述した図柄７０Ａ〜７０Ｊが変動表示される主表示部２０ａのみならず、副表示部２０ｂをも備えている。より詳しくは、表示部２０Ｂは、略長方形状のワイド画面を有しており、対角線の長さがおよそ７インチに設定されている。前記主表示部２０ａは、略長方形状に形成されており、対角線の長さがおよそ６インチに設定されており、表示部２０Ｂのほぼ中央位置に設けられている。そして、表示部２０Ｂから主表示部２０ａを除いた部分が副表示部２０ｂとなっている。さらに、副表示部２０ｂは、リスＲＣ（図８（ａ）参照）を表示可能な表示領域ＣＳと、表示対象が表示されることのない非表示領域ＮＳとからなっている。また、副表示部２０ｂの非表示領域ＮＳは、常に真っ黒な画像が表示されるようになっているとともに、表示領域ＣＳも、通常は前記非表示領域ＮＳと同様真っ黒な画像が表示され、「リスリーチ」等の演出が行われる場合に限って表示領域ＣＳにリスＲＣが表示されるようになっている。
【０１０６】
さらに、副表示部２０ｂのうち、前記表示領域ＣＳを除く部分は、センターフレーム２０Ａで覆われている。本実施の形態におけるセンターフレーム２０Ａは木目模様を呈しており、これにより主表示部２０ａに森の背景画像が表示された場合に渾然一体感が付与されるようになっている。このような構成により、遊技者にとっては、あたかもセンターフレーム２０Ａの内側に主表示部２０ａが配されており、それとは別に副表示部２０ｂの表示領域ＣＳを確保するための表示画面が設置されているかの如く視認されるようになっている。なお、センターフレーム２０Ａのうち、前記表示領域ＣＳに対応する部位には、透明な窓部が設けられており、表示領域ＣＳに表示されるリスＲＣは、前記窓部を介して視認可能となっている。
【０１０７】
また、図７に示すように、センターフレーム２０Ａの上部には、枝葉をモチーフとした一対の開閉部材ＯＰが設けられている。当該開閉部材ＯＰは、図示しない開閉部材用ソレノイドによって開閉可能に軸支されており、通常は、略一直線状になるよう閉鎖状態に維持されている（図５（ｂ），（ｃ）等参照）。また、前記ソレノイドが励磁状態とさせられることにより、同図に示すように開閉部材ＯＰが下方に開かれるようになっている。開閉部材ＯＰは、後述する「ももんがリーチ」等の演出が行われるに際してのみ開閉制御されるようになっている。
【０１０８】
但し、このような構成は、あくまでも表示演出を盛り上げるための補助演出を導出するためのものであって、副表示部２０ｂや開閉部材ＯＰを設けない構成としても何ら差し支えない。
【０１０９】
次に、上記のように構成されたパチンコ機１における各制御部の主たる動作について説明する。
【０１１０】
まず、作動口用スイッチ４１からの検出信号に基づき、遊技球Ｂが作動口１１へ入賞した旨が主基板５０によって認識された場合の制御処理について説明する。
【０１１１】
主基板５０が遊技球Ｂが作動口１１へ入賞した旨を検出した場合、そのことに基づいて、主基板５０は、対応する保留ランプ２４ａ〜２４ｄ（例えば、それまで２つの保留ランプ２４ａ及び２４ｂの２つの保留ランプが点灯されていた場合には３つ目の保留ランプ２４ｃ）を点灯させ、保留カウンタの値を「１」ずつインクリメントする。但し、保留ランプ２４ａ〜２４ｄが全て点灯している場合は除かれる。
【０１１２】
また、主基板５０は、内部乱数カウンタ、大当たり図柄カウンタ、外れリーチ図柄カウンタ、外れ図柄カウンタ、リーチ種別決定カウンタＣＶ等の各カウンタの値を各乱数エリアに格納する。そして、所定のタイミングにおいて対応する保留ランプ２４ａ〜２４ｄを消灯させるとともに、保留カウンタの値をデクリメントし、各エリア等に格納されたデータに基づき図柄変動を実行する。
【０１１３】
このとき、主基板５０は、当該変動に際し、指令としてのコマンドを特別図柄表示装置２０の表示制御基板１１０をはじめ、ランプ制御基板１２０、音声制御基板１３０等へと出力（送信）する。さて、当該コマンドには、（１）変動開始から所定時間後に図柄７０Ａ〜７０Ｊを確定停止表示させる旨の時間情報及び各リーチパターンに代表される変動パターンからなるパターン情報、並びに、（２）いかなる図柄７０Ａ〜７０Ｊで確定表示させるかという図柄情報が含まれる。ここで、図柄情報としては、大当たり図柄、外れリーチ図柄、外れ図柄が含まれ、これらは、上述した内部乱数カウンタ、大当たり図柄カウンタ、外れリーチ図柄カウンタ、外れ図柄カウンタ等に基づいて決定されるものである。
【０１１４】
本実施の形態における上記コマンドは、２バイト構成からなっており、順次連続的に表示制御基板１１０等へと送信される。２バイト構成からなるコマンドのうち、先頭の１バイト目は、これからいかなる情報が送信されてくるかというキーワード情報によって構成されている。また、後半の１バイトは、具体的な指示内容に該当するパターンコード等の内容情報によって構成されている。
【０１１５】
例えば、本実施の形態において、まず最初に送信されるコマンドはパターン情報である。この場合、１バイト目は、これからパターン情報（時間情報及び変動パターンを示唆する）が送信される旨のキーワード情報により構成され、２バイト目は、「００」、「０１」等のパターンコード情報により構成されている。ここで、「００」、「０１」等のパターンコード情報は、図柄の変動時間を例えば「１０秒」とする、或いは、「３０秒」とするといった内容を示唆する時間情報と、どのような変動パターン（又は変動パターン群のうちいずれか）を実行するといった変動パターンを示唆する情報とからなる。
【０１１６】
続いて送信されるのは図柄情報である。すなわち、本実施の形態のように左→右→中の順に３つの図柄列Ｋ１〜Ｋ３の図柄が確定させられる場合においては、まず、パターン情報に続いて２番目に送信されるコマンドたる図柄情報として、１バイト目は、これから左図柄列Ｋ１の図柄情報が送信される旨のキーワード情報により構成され、２バイト目は、確定表示される図柄を示唆するパターンコード情報により構成されている。また、３番目に送信されるコマンドたる図柄情報として、１バイト目は、これから右図柄列Ｋ３の図柄情報が送信される旨のキーワード情報により構成され、２バイト目は、確定表示される図柄を示唆するパターンコード情報により構成されている。併せて、４番目に送信されるコマンドたる図柄情報として、１バイト目は、これから中図柄列Ｋ２の図柄情報が送信される旨のキーワード情報により構成され、２バイト目は、確定表示される図柄を示唆するパターンコード情報により構成されている。このように、確定図柄に関する３つの表示情報がたて続けに送信される。すなわち、１回の図柄変動に際して、２バイト構成からなるデータが１バイトずつ送信されることにより、合計８（１×２＋３×２）回のデータ送信が行われることとなる。
【０１１７】
なお、上記実施の形態では、左、右、中の各図柄列Ｋ１〜Ｋ３に対応した図柄情報が送信されることとなっているが、例えば８つの図柄を確定表示させる必要がある場合には、１×２＋８×２＝１８回のデータ送信が行われるといった具合に、図柄数を適宜変更した場合であっても適用することができる。
【０１１８】
また、本実施の形態では、コマンド（一群のコマンド）が、表示制御基板１１０に対してのみならず、ランプ制御基板１２０、音声制御基板１３０にも同期して出力されるようになっている（厳密な意味で全く同時でなくてよい）。勿論、このときに出力されるコマンドは、表示制御基板１１０に出力されるコマンドに対応したものであることが望ましい（場合によっては対応していなくてもよい）。これに対し、図柄変動に関する一群のコマンド（１回の図柄変動に際して送られてくるデータ群）を受信した表示制御基板１１０は、特別図柄表示装置２０の表示部２０Ｂで表示する表示画像（主表示部２０ａにおける背景画像及び図柄画像、並びに、副表示部２０ｂの表示領域ＣＳにおけるキャラクタ画像等）を順次生成する。
【０１１９】
さらに、表示制御基板１１０は、当該コマンドに基づき図柄変動を開始するとともに、変動停止に至るまでの間、前記変動パターンに基づく種々の演出を行う。当該演出としては、例えばリーチ演出が主として挙げられる。
【０１２０】
すなわち、上記コマンドのうち、パターン情報に基づき、表示制御基板１１０のＣＰＵ６３は、テーブルを参酌して、上述した各変動パターンの中から所定のパターンを選択決定するとともに、当該決定したパターンに基づく演出を、変動開始から確定表示までの間、別途設定された時間データの秒数分だけ実行する。さらにその後、主基板５０側のＣＰＵは、自身が有するタイマに基づき、前記所定時間に応じたタイミングで、表示制御基板１１０に対し、確定コマンドを出力する。
【０１２１】
一方、表示制御基板１１０のＣＰＵ６３は前記一旦停止からさらに所定時間後において（時間情報に基づく変動を完了した時点で）、前記図柄情報に応じた図柄を確定停止表示させる。このとき、結果的に前記出力された確定コマンドに同期して、図柄７０Ａ〜７０Ｊが確定停止表示させられることとなる。同様に、ランプ制御基板１２０、音声制御基板１３０の各ＣＰＵも、前記タイミングにおいて、ランプ演出、音声演出を確定停止させる。
【０１２２】
なお、本実施の形態では、変動パターンに関し、リーチ演出以外の演出に関しても、上記と同様に変動パターン情報に盛り込まれた上で制御が行われる。リーチ演出以外の演出としては、すべり変動、再変動、リーチ予告、スーパーリーチ予告、大当たり予告等の演出が挙げられる。ここで、「予告」とあるのは、演出によって、所定の遊技状態が発生しやすくなることを示唆可能であればよい、或いは、演出によって所定の遊技状態の発生率に影響が生じるという趣旨であって、所定の遊技状態が発生しない場合があっても差し支えない（示唆）。このように、本実施の形態では、主基板５０によって主たる制御が司られ、該主基板５０からのコマンドに基づいて、表示制御基板１１０によって表示制御が司られ、ランプ制御基板１２０によってランプ制御が司られ、音声制御基板１３０によって音声制御が司られることとなっている。これにより、主基板５０の負担軽減が図られている。
【０１２３】
次に、本実施の形態において、表示制御基板１１０により実行される表示制御の内容について説明する。主基板５０から表示制御基板１１０に対し、図柄変動を行うべくコマンドが出力されると、表示制御基板１１０側では、図柄変動を開始させる。該変動に際しては、上述したように、表示される図柄７０Ａ〜７０Ｊが上から下方向へと移動しているかの如く変動表示される。そして、各図柄列Ｋ１〜Ｋ３に対応する図柄７０Ａ〜７０Ｊが、左図柄列Ｋ１、右図柄列Ｋ３、中図柄列Ｋ２の順で確定停止表示させられる。ここで、本実施の形態では、いわゆる５ラインを採用しているため、各図柄列Ｋ１〜Ｋ３毎に３つずつの図柄７０Ａ〜７０Ｊが表示された上で確定停止されることとなる。つまり、主表示部２０ａ上には、合計９つの図柄７０Ａ〜７０Ｊが確定停止表示させられる。
【０１２４】
さて、全図柄列Ｋ１〜Ｋ３の図柄７０Ａ〜７０Ｊの確定停止表示に至るまでの間、リーチ状態が発生することがあり、前記コマンドによっては上述した「ノーマルリーチ」、「スーパーリーチ」、「スペシャルリーチ」、「プレミアムリーチ」の演出が行われる場合がある。
【０１２５】
ここでは、代表的な「スペシャルリーチ」たる「リススペシャルリーチ」及び「ももんがスペシャルリーチ」の演出表示態様について、その前段階たる「リスリーチ」演出、「ももんがリーチ」演出及び「ノーマルリーチ」演出を含めて説明する。
【０１２６】
まず、図８，９に基づいて「リススペシャルリーチ」の演出表示態様について説明する。すなわち、前記図柄変動を行うべく表示制御基板１１０に対し出力されるコマンドに、「リススペシャルリーチ」演出を行う旨の情報が含まれていた場合において、表示制御基板１１０側で行われる処理内容について詳述する。この場合においては、表示制御基板１１０のＣＰＵ６３により、各図柄列Ｋ１〜Ｋ３の図柄７０Ａ〜７０Ｊの変動が開始させられる。
【０１２７】
そして、変動開始から所定時間経過後において、まずは左図柄列Ｋ１の図柄変動速度がそれまでの変動速度よりも遅くされた後、図５（ｂ）に示すように、所定の図柄７０Ａ〜７０Ｊにて停止させられる（図では、下段に「７」の図柄７０Ｇが停止表示されている）。続いて、左図柄列Ｋ１と同様、右図柄列Ｋ２の図柄変動速度が遅くさせられ、その後停止させられる（図では左図柄列Ｋ１と同様、下段に「７」の図柄７０Ｇが停止表示されている）。この時点（中図柄列Ｋ２は未だ変動中）で、リーチ状態が発生するのであるが、かかるタイミング以降において、ＣＰＵ６３により、次のような制御が行われる。
【０１２８】
すなわち、所定時間の間、中図柄列Ｋ２についてスクロール変動表示が実行される。本実施の形態では、これがノーマルリーチの演出に相当する。（なお、表示制御基板１１０に対し出力されるコマンドに、「ノーマルリーチ」演出を行う旨の情報が含まれていた場合には、かかる演出を行った後、所定タイミングで中図柄列Ｋ２の図柄７０Ａ〜７０Ｊを停止表示させる。）
続いて、図８（ａ）に示すように、所定の発展タイミングにおいて、ＣＰＵ６３により、副表示部２０ｂの表示領域ＣＳにリスＲＣが表示されるとともに、該リスＲＣがあたかも家の窓から顔を覗かせているような表示制御が行われる。次に、リスＲＣが表示領域ＣＳに表示されたままの状態で、図柄７０Ａ〜７０Ｊや背景を揺動させる等の制御が行われる（もちろんこのような制御を行わないこととしてもよい）。
【０１２９】
そして、引き続き図８（ｂ）に示すように、リスＲＣが移動するかのよう表示制御が行われる。より詳しくは、リスＲＣが家から飛び出し、それまで表示されていた副表示部２０ｂの表示領域ＣＳから主表示部２０ａへと連続的に移るかのような表示制御が行われる。また、この移動の一時期においては、副表示部２０ｂ及び主表示部２０ａの双方にリスＲＣの一部が表示されることとなる。
【０１３０】
次に、図８（ｃ）に示すように、主表示部２０ａに表示されたリスＲＣが、未だ変動中の中図柄列Ｋ２の図柄７０Ａ〜７０Ｊを必死になって止めようとするかの如く演出表示が行われる。なお、この場合において、当り図柄７０Ａ〜７０Ｉが近づいたときに、さらに図柄７０Ａ〜７０Ｊの変動速度を遅くしたり、さらにリスＲＣがより必死な表情になるような表示制御を行うこととしてもよい。本実施の形態では、かかる演出がリスリーチ（スーパーリーチ）の演出に相当する。（なお、表示制御基板１１０に対し出力されるコマンドに、「リスリーチ」演出を行う旨の情報が含まれていた場合には、かかる演出を行った後、所定タイミングで中図柄列Ｋ２の図柄７０Ａ〜７０Ｊを停止表示させる。）
その後、引き続き、未だ変動中の中図柄列Ｋ２の図柄７０Ａ〜７０Ｊを前記リスＲＣが必死になって止めようとするかの如く演出表示が行われるとともに、所定の発展タイミングにおいて、前記副表示部２０ｂの表示領域ＣＳに大勢のリス（以下、「リス群ＲＣＳ」と称する）が表示されるとともに、該リス群ＲＣＳがあたかも家の窓から顔を覗かせているような表示制御が行われる。
【０１３１】
次に、前記一匹のリスＲＣが移動してきたときと同様に、図９（ａ）に示すように、リス群ＲＣＳが移動するかのよう表示制御が行われる。より詳しくは、前記リス群ＲＣＳが家から飛び出し、それまで表示されていた副表示部２０ｂの表示領域ＣＳから主表示部２０ａへと連続的に移るかのような表示制御が行われる。また、この移動の一時期においては、副表示部２０ｂ（表示領域ＣＳ）及び主表示部２０ａの双方にリス群ＲＣＳの一部が表示されることとなる。つまり、リス群ＲＣＳのうち何匹かは表示され、残りの何匹かは主表示部２０ａに表示される。
【０１３２】
続いて、図９（ｂ）に示すように、主表示部２０ａに表示されたリス群ＲＣＳが、それまで表示されていたリスＲＣとともに未だ変動中の中図柄列Ｋ２の図柄７０Ａ〜７０Ｊを必死になって止めようとするかの如く演出表示が行われる。そして、その後、予め定められた図柄７０Ａ〜７０Ｊにて、中図柄列Ｋ２が確定停止表示させられる。このように、「リススペシャルリーチ」の演出表示が導出される。
【０１３３】
次に、図１０〜図１１に基づいて「ももんがスペシャルリーチ」の演出表示態様について説明する。すなわち、前記図柄変動を行うべく表示制御基板１１０に対し出力されるコマンドに、「ももんがスペシャルリーチ」演出を行う旨の情報が含まれていた場合において、表示制御基板１１０側で行われる処理内容について詳述する。この場合においても、上記同様、表示制御基板１１０のＣＰＵ６３により、各図柄列Ｋ１〜Ｋ３の図柄７０Ａ〜７０Ｊの変動が開始させられ、変動開始から所定時間経過後において、まずは左図柄列Ｋ１が所定の図柄７０Ａ〜７０Ｊにて停止させられ、所定の大当たりラインＬ１〜Ｌ５上に右図柄列Ｋ２が前記左図柄列Ｋ１と同じ図柄７０Ａ〜７０Ｊにて停止させられる。この時点（中図柄列Ｋ２は未だ変動中）で、リーチ状態が発生するのであるが、かかるタイミングにおいて、ＣＰＵ６３により、次のような制御が行われる。
【０１３４】
すなわち、所定時間の間、中図柄列Ｋ２についてスクロール変動表示が実行される。本実施の形態では、これがノーマルリーチの演出に相当する。（なお、表示制御基板１１０に対し出力されるコマンドに、「ノーマルリーチ」演出を行う旨の情報が含まれていた場合には、かかる演出を行った後、所定タイミングで中図柄列Ｋ２の図柄７０Ａ〜７０Ｊを停止表示させる。）
続いて、図１０（ａ）に示すように、所定の発展タイミングにおいて、ＣＰＵ６３により、図示しない開閉部材用ソレノイドが制御されて開閉部材ＯＰが開放させられる。これとともに、図１０（ｂ）に示すように、主表示部２０ａの上方から下方に向けて、かつ、画面奥部から画面手前側にももんがＭＣが飛来するかのような表示制御が行われる。
【０１３５】
主表示部２０ａに表示されたももんがＭＣは、主表示部２０ａの左上部又は右下部に移動表示制御され、この時点で開閉部材ＯＰが閉鎖される。図１０（ｃ）に示すように、左上部にももんがＭＣが移動した場合には、例えば次のような表示演出が行われる。すなわち、図１１（ａ）に示すように、左上部に表示されていたももんがＭＣが高速変動中の中図柄列Ｋ２の所定の図柄７０Ａ〜７０Ｉに飛び移るかの如く演出表示が行われる。本実施の形態では、上記演出がももんがリーチ（スーパーリーチ）の演出に相当する。（なお、表示制御基板１１０に対し出力されるコマンドに、「ももんがリーチ」演出を行う旨の情報が含まれていた場合には、かかる演出を行った後、所定タイミングで中図柄列Ｋ２の図柄７０Ａ〜７０Ｊを停止表示させる。なお、この場合、その後ももんがＭＣは、例えば図１１（ｂ）に示すように、画面奥方へ飛んでいくかのように表示される。）
その後、ももんがＭＣが所定の図柄７０Ａ〜７０Ｉに飛び移った後、所定の発展タイミングで、図１１（ｃ）に示すように、一旦停止された中図柄列Ｋ２の図柄７０Ａ〜７０Ｊが再度変動表示されるとともに、あたかもももんがＭＣが図柄７０Ａ〜７０Ｊをよじ登っていくかのような演出表示が行われる。そして、その後、予め定められた図柄７０Ａ〜７０Ｊにて、中図柄列Ｋ２が確定停止表示させられる。このように、表示制御基板１１０では、主基板５０から出力されるコマンドに応じて、表示部２０Ｂの表示制御が実行される。
【０１３６】
さて、本実施の形態では、表示制御基板１１０のみならず、音声制御基板１３０においても、前記主基板５０からのコマンドに応じた音声制御を実行するようになっている。すなわち、音声制御基板１３０は、主基板５０から出力されるコマンドに応じて、スピーカ９から発せられる音声（例えばメロディ）の制御を司るためのものであって、ＲＯＭ、ＣＰＵ、ＲＡＭ等を備えている。ＲＯＭは所定の音声制御プログラム、メロディデータ等を予め記憶しており、ＣＰＵはＲＯＭの制御プログラム等に従って各種処理を実行する。
【０１３７】
ここで、ＲＯＭに記憶されているメロディデータ（音声パターン）について説明する。本実施の形態においては、ノーマルリーチパターン、上記３種類のスーパーリーチパターン、及び、それらに対応する３種類のスペシャルリーチパターンが用意されているが、各リーチパターンには、互いに区別可能な特有のメロディデータが対応づけられている。
【０１３８】
より詳しくは、図１３（ａ），（ｂ）に示すようにノーマルリーチ（のみ）が実行される場合、表示部２０Ｂでのノーマルリーチ演出に伴って、「スロー系」、「リス系」、「ももんが系」に関連するメロディのうちいずれかのメロディが発せられる。より詳しくは、「メロディＡ１（スロー系）」「メロディＢ１（リス系）」「メロディＣ１（ももんが系）」のうち、音声制御基板１３０のＣＰＵは、いずれかのメロディを発するよう制御する。
【０１３９】
また、スーパーリーチについて言及すると、スローリーチが実行される場合、図１３（ｃ）に示すように、まず、前段では表示部２０Ｂでのノーマルリーチ演出に対応する「メロディＡ１」が発せられ、発展タイミングたるｔ１以降の後段では表示部２０Ｂでのスローリーチ演出に対応する「メロディＡ２」が発せられる。また、リスリーチが実行される場合、図１３（ｄ）に示すように、まず、前段では表示部２０Ｂでのノーマルリーチ演出に対応する「メロディＢ１」が発せられ、発展タイミングたるｔ１以降の後段では表示部２０Ｂでのリスリーチ演出に対応する「メロディＢ２」が発せられる。さらに、ももんがリーチが実行される場合、図１３（ｅ）に示すように、まず、前段では表示部２０Ｂでのノーマルリーチ演出に対応する「メロディＣ１」が発せられ、発展タイミングたるｔ１以降の後段ではももんがリーチ演出に対応する「メロディＣ２」が発せられる。
【０１４０】
さらに、スペシャルリーチについて言及すると、超ロングスローリーチが実行される場合、図１３（ｆ）に示すように、まず、前段では表示部２０Ｂでのノーマルリーチ演出に対応する「メロディＡ１」が発せられ、第１の発展タイミングたるｔ１以降の中段では表示部２０Ｂでのスローリーチ演出に対応する「メロディＡ２」が発せられ、第２の発展タイミングたるｔ２以降の後段では表示部２０Ｂでの超ロングスローリーチ演出に対応する「メロディＡ３」が発せられる。
【０１４１】
また、リススペシャルリーチが実行される場合、図１３（ｇ）に示すように、まず、前段では表示部２０Ｂでのノーマルリーチ演出に対応する「メロディＢ１」が発せられ、第１の発展タイミングたるｔ１以降の中段では表示部２０Ｂでのリスリーチ演出に対応する「メロディＢ２」が発せられ、第２の発展タイミングたるｔ２以降の後段では表示部２０Ｂでのリススペシャルリーチ演出に対応する「メロディＢ３」が発せられる。
【０１４２】
さらに、ももんがスペシャルリーチが実行される場合、図１３（ｈ）に示すようにまず、前段の表示部２０Ｂでのノーマルリーチ演出に対応する「メロディＣ１」が発せられ、第１の発展タイミングたるｔ１以降の中段では表示部２０Ｂでのももんがリーチ演出に対応する「メロディＣ２」が発せられ、第２の発展タイミングたるｔ２以降の後段では表示部２０Ｂでのリススペシャルリーチ演出に対応する「メロディＣ３」が発せられる。なお、プレミアムリーチについてのここでの説明は省略することとする（プレミアムリーチ特有のメロディを発する等してもよい）。
【０１４３】
但し、本実施の形態では、「メロディＡ１」「メロディＡ２」「メロディＡ３」は、旋律が同種であって、順にオクターブが高くなってゆく等、互いに強い関連性を持っている。従って、聞き手（遊技者）にとっては「メロディＡ１」を聞けば、「メロディＡ２」「メロディＡ３」のスロー系（スローリーチ、超ロングスローリーチ）が咄嗟に連想されるよう構成されている。同様に、「メロディＢ１」「メロディＢ２」「メロディＢ３」についても、互いに強い関連性を持っており、聞き手（遊技者）にとって「メロディＢ１」を聞けば、「メロディＢ２」「メロディＢ３」のリス系の発展型リーチ（スローリーチ、超ロングスローリーチ）が咄嗟に連想されるよう構成されている。さらには、「メロディＣ１」「メロディＣ２」「メロディＣ３」についても、互いに強い関連性を持っており、聞き手（遊技者）にとっては「メロディＣ１」を聞けば、「メロディＣ２」「メロディＣ３」のももんが系の発展型リーチ（ももんがリーチ、ももんがスペシャルリーチ）が咄嗟に連想されるよう構成されている。
【０１４４】
このような構成下、本実施の形態によれば、リーチ遊技状態になった場合、まずは表示部２０Ｂにおいて「ノーマルリーチ」演出が行われる。このとき、スピーカ９からは必ず「メロディＡ１」「メロディＢ１」「メロディＣ１」のいずれかが発せされる。そして、これら各メロディは、発展型の「スローリーチ」「リスリーチ」「ももんがリーチ」演出に対応する「メロディＡ２」「メロディＢ２」「メロディＣ２」に関連を持っている。従って、かかるメロディを耳にした遊技者は、「ノーマルリーチ」演出が表示されているときであっても、それに引き続いて発展型の「スローリーチ」「リスリーチ」「ももんがリーチ」演出に切り換えられることを期待しうる。しかも、各メロディ（メロディＡ１〜Ｃ１）が発せられた場合には、それに関連する発展型のリーチ種別を予測しやすい。従って、従来にはない面白味を味わうことができ、興趣の飛躍的な向上を図ることができる。また、表示態様を注視せざるを得ない傾向にあった従来技術とは異なり、メロディによる補助演出効果（メロディによって発展を期待でき、種別を予測できること等）により、視認による集中の義務感が緩和され、もって遊技者にとっての疲労感を低減させることができる。
【０１４５】
また、実際に「ノーマルリーチ」演出から「スローリーチ」「リスリーチ」「ももんがリーチ」演出に切り換えられた場合、スピーカ９からは各リーチ演出に対応づけられた「メロディＡ２」「メロディＢ２」「メロディＣ２」のいずれかが発せされる。そして、これら各メロディは、さらなる発展型の「超スローロングリーチ」「リススペシャルリーチ」「ももんがスペシャルリーチ」演出に対応する「メロディＡ３」「メロディＢ３」「メロディＣ３」に関連を持っている。そのため、かかるメロディを耳にした遊技者は、「スーパーリーチ」演出が表示されているときであっても、それに引き続いてさらに発展型の「スペシャルリーチ」演出に切り換えられることを期待しうる。しかも、各メロディ（メロディＡ２〜Ｃ２）が発せられた場合には、それに関連するさらなる発展型のリーチ種別を予測しやすい。その結果、さらなる面白味が付与され、より一層の興趣の飛躍的な向上を図ることができる。特に、本実施の形態では、「リス系」及び「ももんが系」の発展型リーチが主表示部２０ａとは別の表示領域ＣＳや開閉部材ＯＰに関連して導出されるため、上記「メロディＡ１」或いは「メロディＢ１」が発せられたような場合には、主表示部２０ａ以外の部位を視認していても当該発展を知ることができる。その結果、さらに面白味が増すこととなる。
【０１４６】
さらに、本実施の形態では、発展することなく「ノーマルリーチ」演出が行われるのみで図柄７０Ａ〜７０Ｊが停止表示される場合があるが、かかる「ノーマルリーチ」のみであっても、前記いずれかの「メロディＡ１〜Ｃ１」が発生させられる。このため、一旦リーチ遊技状態が発生すると、より多くの場合（上記例では全ての場合）において発展型リーチパターンへと切り換えられることを期待することができる。すなわち、「ノーマルリーチ」演出が行われているときであっても、大いなる期待感を持ちつつ遊技を行うことができる。その結果、従来では期待感が薄く、単調感を招きやすかったノーマルリーチ時におけるわくわく感を飛躍的に高めることができる。
【０１４７】
もちろん、図１３（ａ）に括弧書きで示すように、時としてノーマルリーチ特有の「メロディＤ１」を発するようにしてもよい。
【０１４８】
尚、上記実施の形態の記載内容に限定されず、例えば次のように実施してもよい。
【０１４９】
（ａ）上記実施の形態では、発展することなく「ノーマルリーチ」演出が行われるのみの場合であっても、前記いずれかの「メロディＡ１〜Ｃ１」が発生させられる構成となっているが、「ノーマルリーチ」演出が行われるのみの場合には、ノーマルリーチ特有の「メロディＤ１」のみが発せられるようにしてもよいし、主として「メロディＤ１」が発せされ、稀に「メロディＡ１」等が発せられることとしてもよい。また、「メロディＤ１」が発せられた場合であっても、発展型のリーチ演出が行われるようにしてもよい。
【０１５０】
（ｂ）上記実施の形態では、「メロディＡ１」に引き続いて「メロディＡ２」が発せられるようになっているが、特定条件が成立した場合には、「メロディＡ１」に引き続いて「メロディＢ２」が発せられ、「リスリーチ」演出が導出されるようにしてもよい。このように構成することで、遊技者はそのような演出態様に驚きを覚え、面白味が一層増す。
【０１５１】
（ｃ）上記実施の形態では「スペシャルリーチ」「プレミアムリーチ」なる概念を設定しているが、かかるリーチを省略してもよい。すなわち、リーチパターンとして「ノーマルリーチ」と「スーパーリーチ」とが設定されている構成であっても適用可能である。
【０１５２】
（ｄ）また、「ノーマルリーチ」演出なる概念のない場合にも適用することもできる。例えば、リーチ状態が始まったとたんに「リスリーチ」の演出が行われ「メロディＢ２」が発せられ（、スーパーリーチの場合にはその後「リススペシャルリーチ」の演出が行われ「メロディＢ３」が発せられ）るように構成してもよい。
【０１５３】
（ｅ）上記実施の形態では特に言及していないが、ハンドル７内等にバイブレータ等の触覚態様導出手段を設置しておき、上記音声パターンに代えて或いは加えて、触覚パターンが導出される構成としてもよい。
【０１５４】
（ｆ）「メロディＡ１」「メロディＡ２」「メロディＡ３」等の関連性について、上記実施の形態では、旋律が同種であって、順にオクターブが高くなってゆく等構成することで関連性を持たせるようにしているが、他の設定により関連性を持たせることとしてもよい。例えば、順にハーモニーが加わってゆく構成としてもよいし、順にペースが変更されてゆく（速くなったり、遅くなったり）構成としてもよいし、同曲が所定の小節単位で切り換えられる構成としてもよいし、同一、同種或いは近似した曲同士で音色が切り換えられる（例えば男性の声から女性の声に切り換えられる）構成としてもよい。
【０１５５】
（ｇ）音声としては、メロディに限定されるものではない。例えば、犬等の動物の鳴き声であってもよいし、楽器の音であってもよいし、乗り物の音でもよいし、打音、信号音等であってもよい。
【０１５６】
（ｈ）上記実施の形態ではリーチパターンの発展型への切換について具体化しているが、リーチパターンに代えて、或いは加えて予告パターンの発展型への切換について具体化することもできる。
【０１５７】
（ｉ）上記実施の形態のような５ラインタイプのものでなくてもよい。例えば、いわゆる２ラインタイプ（例えば上下の横方向の大当たりラインがあるもの）や、３ラインタイプ（例えば上中下の横方向の大当たりラインがあるもの）のパチンコ機であってもよい。
【０１５８】
（ｊ）特別図柄表示装置２０としては、上述した液晶ディスプレイ以外にも、ＣＲＴ、ドットマトリックス、ＬＥＤ、エレクトロルミネセンス（ＥＬ）、蛍光表示管等を用いてもよい。
【０１５９】
（ｋ）上記実施の形態とは異なるタイプのパチンコ機等にも適用できる。例えば、大当たり図柄が表示された後に所定の領域に遊技球を入賞させることを必要条件として特別遊技状態となるパチンコ機として実施してもよい。また、表示部のないパチンコ機（例えば大羽根等の変動入賞装置やクルーンといった役物が搭載されているタイプや、いわゆる多くのチューリップが搭載されているタイプ等）にも応用できる。また、パチンコ機以外にも、アレパチ、雀球、スロットマシン、パチンコ機とスロットマシンとが融合した遊技機等の各種遊技機として実施することも可能である。なお、スロットマシンは、例えばコインを投入して図柄有効ラインを決定させた状態で操作レバーを操作することにより図柄が変動され、ストップボタンを操作することにより図柄が停止されて確定される周知のものである。この場合、遊技媒体はコイン、メダル等が代表例として挙げられる。
【０１６０】
また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。
【０１６１】
（ｌ）上記実施の形態では、図柄列として、左・中・右の３つの図柄列Ｋ１，Ｋ２，Ｋ３を採用しているが、２つ以下、或いは４つ以上の図柄列により構成してもよい。また、停止順序も上記実施の形態のものに何ら限定されるものではない。
【図面の簡単な説明】
【０１６２】
【図１】一実施の形態におけるパチンコ機を示す斜視図である。
【図２】主として遊技盤を示すパチンコ機の正面図である。
【図３】表示制御基板等の電気的構成を示すブロック図である。
【図４】ＶＤＰ等の電気的構成を示すブロック図である。
【図５】（ａ）は主表示部における図柄の表示態様の一例を示す模式図であり、（ｂ）リーチ状態時の図柄の表示態様の一例を示す模式図であり、（ｃ）は大当たり状態発生時の図柄の表示態様の一例を示す模式図である。
【図６】表示部の構成を示す正面図である。
【図７】表示部及びセンターフレームの関係を示す正面図である。
【図８】（ａ）〜（ｃ）はリスリーチ状態発生時の表示部の表示態様を示す模式図である。
【図９】（ａ），（ｂ）はリススペシャルリーチ状態時の表示部の表示態様を示す模式図である。
【図１０】（ａ）〜（ｃ）はももんがリーチ状態発生時の表示部の表示態様を示す模式図である。
【図１１】（ａ）〜（ｃ）はももんがリーチ、ももんがスペシャルリーチ状態時の表示部の表示態様を示す模式図である。
【図１２】リーチ種別決定カウンタの構成を説明するための図表である。
【図１３】各種リーチ遊技状態におけるメロディパターン、リーチ演出パターンの関係を説明するタイミングチャートである。
【符号の説明】
【０１６３】
１…パチンコ機、８…遊技盤、９…音声発生手段を構成するスピーカ、１１…作動口、１２…大入賞口、２０…表示手段、可変表示装置としての特別図柄表示装置、２０Ｂ…表示部、２０ａ…主表示部、２０ｂ…副表示部、５０…主基板、６３…表示制御基板のＣＰＵ、１１０…表示制御基板、１３０…音声制御基板、Ｋ１…左図柄列、Ｋ２…中図柄列、Ｋ３…右図柄列、Ｂ…遊技媒体としての遊技球。
【図１】
2007289740.tif 000003
【図２】
2007289740.tif 000004
【図３】
2007289740.tif 000005
【図４】
2007289740.tif 000006
【図５】
2007289740.tif 000007
【図６】
2007289740.tif 000008
【図７】
2007289740.tif 000009
【図８】
2007289740.tif 000010
【図９】
2007289740.tif 000011
【図１０】
2007289740.tif 000012
【図１１】
2007289740.tif 000013
【図１２】
2007289740.tif 000014
【図１３】
2007289740.tif 000015
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
視覚的態様により遊技状態を認識可能な表示手段と、
聴覚的態様を導出可能な音声発生手段と
を備え、少なくとも前記表示手段において特定の表示態様となった場合に遊技者に有利な特別遊技状態を導出可能に構成されるとともに、前記特定の表示態様となる前段階にあっては、複数種類のリーチ演出パターンの中から選択された１のリーチ演出パターンに基づき前記表示手段においてリーチ遊技状態を導出可能に構成されてなる遊技機であって、
前記複数種類のリーチ演出パターンには、所定のリーチパターン及びそれに引き続く発展型リーチパターンの組合せからなるものが含まれ、
前記表示手段にて導出される前記所定のリーチパターンの表示内容は選択されたリーチ演出パターンの種類にかかわらず共通であるとともに、
前記表示手段にて導出され、前記所定のリーチパターンに引き続く前記発展型リーチパターンの表示内容は複数種類用意されており、
前記所定のリーチパターン及びそれに引き続く発展型リーチパターンの組合せからなるリーチ演出パターンに基づくリーチ遊技状態が導出される場合であって、
前記発展型リーチパターンに基づくリーチ遊技状態が導出されている最中に、前記音声発生手段は、選択されたリーチ演出パターンの各発展型リーチパターンに対応する発展型音声パターンを導出可能であり、
前記各発展型リーチパターンのうち特定の発展型リーチパターンに基づくリーチ遊技状態が導出されるのに先だって、表示内容が共通の前記所定のリーチパターンに基づくリーチ遊技状態が導出されている最中に、前記音声発生手段は、前記特定の発展型リーチパターンに対応する所定音声パターンを導出可能であって、
さらに、前記複数種類のリーチ演出パターンには、所定のリーチパターンのみからなるものが含まれ、
前記音声発生手段は、前記所定のリーチパターンのみなからなるリーチ遊技状態が導出されている最中においても、いずれかの特定の発展型リーチパターンに対応する所定音声パターンを導出可能であることを特徴とする遊技機。